(57)【要約】【課題】電子機器において、外部記憶体に設けられた情報記憶領域から非接触で情報を読み取る際の操作性を向上させる。【解決手段】外部に存在している光ディスク３１０に搭載されたＩＣタグとの非接触通信のためのアンテナコイルが、液晶モニタ１０３の近傍（例えばその裏側）に配設される。また、この光ディスク３１０上のＩＣタグとアンテナコイルを介して通信する際には、通信を実行させるために光ディスク３１０を近接させるべき位置を指示するためのマーカ１４１ａ〜１４１ｃが、液晶モニタ１０３に表示される。ユーザが、マーカ１４１ａ〜１４１ｃに従った位置に光ディスク３１０を近接させると、ＩＣタグとアンテナコイルとの間で非接触通信が行われ、ＩＣタグから撮像装置１００に対して情報が読み取られて、その情報が液晶モニタ１０３に表示される。【選択図】図８
2009049871.tif 000002
【特許請求の範囲】
【請求項１】
表示画面を備えた電子機器において、
情報記憶領域を備えた外部記憶体が着脱される着脱部と、
前記表示画面の近傍に配設され、前記着脱部に装着されずに外部に存在している前記外部記憶体との間で非接触で信号を送受信する外部通信用アンテナと、
外部に存在している前記外部記憶体との間で前記外部通信用アンテナを介して非接触で通信し、少なくとも、当該外部記憶体の前記情報記憶領域の記憶情報を読み取ることが可能な非接触通信部と、
外部に存在している前記外部記憶体を、前記外部通信用アンテナと通信させるために近接させるべき位置を指示するための指示画像を、前記表示画面に表示させる表示制御部と、
を有することを特徴とする電子機器。
【請求項２】
前記外部通信用アンテナはスパイラル状またはループ状の形状を有し、
前記指示画像は、前記外部通信用アンテナの中心に対応する位置を指示するように前記表示画面に表示されることを特徴とする請求項１記載の電子機器。
【請求項３】
前記外部通信用アンテナは、その中心軸が前記表示画面と垂直になるように前記表示画面の裏側に配設され、
前記指示画像は、前記表示画面上の前記外部通信用アンテナの中心に対応する位置に表示されることを特徴とする請求項２記載の電子機器。
【請求項４】
前記外部通信用アンテナは、その中心軸が前記表示画面と垂直になるように、前記表示画面の周囲における前記電子機器の筐体の内側に配設され、
前記指示画像は、前記表示画面上の前記外部通信用アンテナの中心に最も近い位置に表示されることを特徴とする請求項２記載の電子機器。
【請求項５】
前記指示画像は、前記表示画面の中央から前記外部通信用アンテナの中心位置を指示する矢印として表示されることを特徴とする請求項４記載の電子機器。
【請求項６】
前記外部通信用アンテナは、その中心軸が前記表示画面と平行になるように、当該表示画面の画面領域に対して外側に配設され、
前記指示画像は、前記表示画面上の前記外部通信用アンテナの中心に最も近い位置に表示されることを特徴とする請求項２記載の電子機器。
【請求項７】
前記指示画像は、前記表示画面の中央から前記外部通信用アンテナの中心位置を指示する矢印として表示されることを特徴とする請求項６記載の電子機器。
【請求項８】
前記外部記憶体の筐体表面には、当該外部記憶体に搭載されたスパイラル状またはループ状の非接触通信用アンテナの中心位置を示す位置表示部が配設されており、前記指示画像は、前記外部記憶体を近接させたときに前記位置表示部が配置される位置を指示するように、前記表示画面に表示されることを特徴とする請求項２記載の電子機器。
【請求項９】
前記指示画像は、収納ケースに収納された状態の前記外部記憶体を、前記外部通信用アンテナとの間で良好に通信が行われるよう当該外部通信用アンテナに近接させたときに、当該収納ケース上の特定の部分が配置される位置を指示するように前記表示画面に表示されることを特徴とする請求項１記載の電子機器。
【請求項１０】
前記外部記憶体との間で非接触で通信する動作を実行させるための入力操作部をさらに有し、
前記表示制御部は、前記入力操作部に対する入力操作に応じて、前記指示画像を前記表示画面に表示させることを特徴とする請求項１記載の電子機器。
【請求項１１】
前記入力操作部は、前記電子機器の筐体における前記表示画面と同じ方向を向く側面に配設されたことを特徴とする請求項１０記載の電子機器。
【請求項１２】
前記着脱部に対して前記外部記憶体が装着されているか否かを検出する着脱検出部をさらに有し、
前記表示制御部は、前記着脱検出部により、前記外部記憶体が前記着脱部から取り外されたことが検出されると、前記指示画像を前記表示画面に自動的に表示させることを特徴とする請求項１記載の電子機器。
【請求項１３】
前記表示制御部は、前記指示画像を前記表示画面に表示させた後、前記非接触通信部により前記外部記憶体の前記情報記憶領域から記憶情報が読み取られると、前記指示画像の表示を停止させるとともに、読み取られた情報、または、当該情報に対応付けられた他の情報の少なくとも一方を、前記表示画面に表示させることを特徴とする請求項１記載の電子機器。
【請求項１４】
前記外部記憶体が前記着脱部に装着されたときに、少なくとも、前記情報記憶領域の記憶情報を読み取ることが可能な内部通信部をさらに有することを特徴とする請求項１記載の電子機器。
【請求項１５】
前記内部通信部は、外部に存在している前記外部記憶体と通信するための前記外部通信用アンテナとは別の内部通信用アンテナを介して、前記着脱部に装着された前記外部記憶体と非接触で通信することを特徴とする請求項１４記載の電子機器。
【請求項１６】
前記外部記憶体は、前記情報記憶領域とは別に主たる情報記憶領域を備えた記録媒体であることを特徴とする請求項１記載の電子機器。
【請求項１７】
前記非接触通信部は、前記外部記憶体の前記主たる情報記憶領域に記憶されたコンテンツデータに関連する情報を、当該外部記憶体の前記情報記憶領域から非接触通信により読み取り、
前記表示制御部は、読み取られた情報を前記表示画面に表示させることを特徴とする請求項１６記載の電子機器。
【請求項１８】
前記外部記憶体は、前記電子機器に対して動作電力を供給する２次電池を備えたバッテリパックであることを特徴とする請求項１記載の電子機器。
【請求項１９】
前記非接触通信部は、前記外部記憶体の内部の前記２次電池に対する充放電動作に関する情報を、当該外部記憶体の前記情報記憶領域から非接触通信により読み取り、
前記表示制御部は、読み取られた情報に基づく前記２次電池の残容量または使用可能な残り時間の少なくとも一方を、前記表示画面に表示させることを特徴とする請求項１８記載の電子機器。
【請求項２０】
固体撮像素子により撮像中の画像を表示可能な表示画面を備えた撮像装置において、
一方の面に前記表示画面が配設され、前記撮像装置の装置本体における撮像方向と垂直な側面に対して一端を中心として開閉可能に接続された、略平板状の画面搭載部材と、
情報記憶領域を備えた外部記憶体が着脱される着脱部と、
前記画面搭載部材における前記表示画面の近傍に配設され、前記着脱部に装着されずに外部に存在している前記外部記憶体との間で非接触で信号を送受信する外部通信用アンテナと、
外部に存在している前記外部記憶体との間で前記外部通信用アンテナを介して非接触で通信し、少なくとも、当該外部記憶体の前記情報記憶領域の記憶情報を読み取ることが可能な非接触通信部と、
外部に存在している前記外部記憶体を、前記外部通信用アンテナと通信させるために近接させるべき位置を指示するための指示画像を、前記表示画面に表示させる表示制御部と、
を有することを特徴とする撮像装置。
【請求項２１】
前記外部通信用アンテナはスパイラル状またはループ状の形状を有し、
前記指示画像は、前記外部通信用アンテナの中心に対応する位置を指示するように前記表示画面に表示されることを特徴とする請求項２０記載の撮像装置。
【請求項２２】
前記外部通信用アンテナは、その中心軸が前記表示画面と垂直になるように前記表示画面の裏側に配設され、
前記指示画像は、前記表示画面上の前記外部通信用アンテナの中心に対応する位置に表示されることを特徴とする請求項２１記載の撮像装置。
【請求項２３】
前記外部通信用アンテナは、その中心軸が前記表示画面と平行になるように、前記画面搭載部材における前記表示画面に対して垂直な端面のうち、前記装置本体と接続している側を除くいずれかの端面の内側に配設され、
前記指示画像は、前記表示画面上の前記外部通信用アンテナの中心に最も近い位置に表示されることを特徴とする請求項２１記載の撮像装置。
【請求項２４】
前記指示画像は、前記表示画面の中央から前記外部通信用アンテナの中心位置を指示する矢印として表示されることを特徴とする請求項２３記載の撮像装置。
【請求項２５】
前記外部記憶体の筐体表面には、当該外部記憶体に搭載されたスパイラル状またはループ状の非接触通信用アンテナの中心位置を示す位置表示部が配設されており、前記指示画像は、前記外部記憶体を前記画面搭載部材に近接させたときに前記位置表示部が配置される位置を指示するように、前記表示画面に表示されることを特徴とする請求項２１記載の撮像装置。
【請求項２６】
前記表示画面は、前記画面搭載部材の一方の面の略全体に亘って形成されており、
前記外部通信用アンテナは、その中心軸が前記表示画面と垂直になるように前記表示画面の裏側に配設され、
前記指示画像は、収納ケースに収納された状態の前記外部記憶体を、前記外部通信用アンテナとの間で良好に通信が行われるよう前記画面搭載部材の前記表示画面に対して裏側に近接させた状態で、当該表示画面側から前記収納ケースを見たときに、当該表示画面の周縁部において当該収納ケース上の特定の部分が通過している位置を指示するように、前記表示画面に表示されることを特徴とする請求項２１記載の撮像装置。
【請求項２７】
前記表示画面は、前記画面搭載部材の一方の面の略全体に亘って形成されており、
前記外部通信用アンテナは、その中心軸が前記表示画面と垂直になるように前記表示画面の裏側に配設され、
前記指示画像は、収納ケースに収納された状態の前記外部記憶体を、前記外部通信用アンテナとの間で良好に通信が行われるよう前記画面搭載部材の前記表示画面に対して裏側に近接させた状態で、当該表示画面側から前記収納ケースを見たときに、当該収納ケースにおけるユーザが視認可能な特定の部分の位置を指示するように、前記表示画面に表示されることを特徴とする請求項２１記載の撮像装置。
【発明の詳細な説明】
【技術分野】
【０００１】
本発明は、表示画面を備えた電子機器および撮像装置に関し、特に、ＩＣタグとの非接触での通信機能を備えた電子機器および撮像装置に関する。
【背景技術】
【０００２】
近年、外部のリーダ／ライタとの間で非接触で情報の受け渡しが可能な非接触型ＩＣ（Integrated Circuit）チップが、広く普及している。非接触型ＩＣチップは、リーダ／ライタとの通信時に物理的接触が不要という要因などによって接続開始から接続終了までの処理時間を短くでき、また、高度な相互認証および暗号処理による高いセキュリティ機能を容易に実装可能であるといった特徴を有している。このため、電子マネーや交通乗車券、入館証などの用途で普及が進んでいる。
【０００３】
また、この非接触型ＩＣチップを光ディスクやメモリカードなどの記録媒体に搭載し、非接触型ＩＣチップ内の記憶情報を、記録再生機器側が非接触で読み取ることができるようにすることも考えられている。例えば、光ディスクに非接触型ＩＣチップを搭載し、その光ディスクを記録再生機器に装着することなく、光ディスク内のコンテンツに関する情報を非接触型ＩＣチップから非接触で読み取り、画面に表示させることが考えられている。あるいは、メモリカードに非接触型ＩＣチップを搭載し、メモリカードをカードスロットに挿入することなく、そのメモリカードの種類を記録再生機器側が識別してユーザに通知できるようにすることも考えられている（例えば、特許文献１参照）。
【０００４】
また、最近では、上記の非接触型ＩＣチップを搭載した携帯電話機も広く普及しているが、今後はさらに、携帯電話機自体にもリーダ／ライタ機能を搭載させ、外部の非接触型ＩＣチップに対するデータの読み書きを行うようにすることも考えられている。なお、このような携帯型通信端末として、リーダ／ライタとの通信用の第１のアンテナの内周側に、ＩＣタグとの通信用の第２のアンテナを形成したアンテナモジュールを搭載したものが提案されている（例えば、特許文献２参照）。
【特許文献１】特開２００６−２４６０２４号公報（段落番号〔００４４〕〜〔００４５〕、図６）
【特許文献２】特開２００４−３６４１９９号公報（段落番号〔００２４〕〜〔００３１〕、図１）
【発明の開示】
【発明が解決しようとする課題】
【０００５】
ところで、上述のように非接触型ＩＣチップを搭載した記録媒体においては、非接触型ＩＣチップの通信用のアンテナのサイズは、記録媒体のサイズによって制限される。例えば、小型のメモリカードに非接触型ＩＣチップを搭載した場合、アンテナのサイズはごく小さいものとなるため、リーダ／ライタと通信可能な距離は高々数ｃｍ〜数十ｃｍ程度となる。このような場合、記録再生機器を操作するユーザは、記録媒体上の非接触型ＩＣチップの情報を非接触で読み出すために、その機器側に搭載されたリーダ／ライタのアンテナに対して、記録媒体上のアンテナをできるだけ正確に位置合わせして近接させる必要があった。
【０００６】
特に、カメラ一体型の記録再生装置などのように、記録媒体が装着されて動作する記録再生機器の多くには表示部が設けられており、ユーザは、通常、表示部を視認可能なように自身の方向に向けた状態で、その記録再生機器を操作する。この場合、ユーザが、記録媒体上の非接触型ＩＣチップから情報を非接触で読み取らせ、その情報を表示部を通じて確認しようとすると、表示部を自身の方向に向けた通常の状態から、記録再生機器上のリーダ／ライタのアンテナ位置に記録媒体のアンテナを正確に位置合わせできるような状態に遷移させ、さらに再度通常状態に遷移させることになり、ユーザは記録再生機器の向きを大きく変えるなどの煩雑な作業を強いられてしまう。
【０００７】
記録媒体上の非接触型ＩＣチップは、その記録媒体を記録再生機器に装着することなく、情報を非接触で簡単に読み取ることを目的として搭載されることが多いので、上記のような作業の煩雑さをできるだけ軽減し、非接触型ＩＣチップからの情報読み取りのための操作性をより向上させることが求められていた。
【０００８】
本発明はこのような点に鑑みてなされたものであり、外部記憶体に設けられた情報記憶領域から非接触で情報を読み取る際の操作性を向上させた電子機器および撮像装置を提供することを目的とする。
【課題を解決するための手段】
【０００９】
本発明では上記課題を解決するために、表示画面を備えた電子機器において、情報記憶領域を備えた外部記憶体が着脱される着脱部と、前記表示画面の近傍に配設され、前記着脱部に装着されずに外部に存在している前記外部記憶体との間で非接触で信号を送受信する外部通信用アンテナと、外部に存在している前記外部記憶体との間で前記外部通信用アンテナを介して非接触で通信し、少なくとも、当該外部記憶体の前記情報記憶領域の記憶情報を読み取ることが可能な非接触通信部と、外部に存在している前記外部記憶体を、前記外部通信用アンテナと通信させるために近接させるべき位置を指示するための指示画像を、前記表示画面に表示させる表示制御部と、を有することを特徴とする電子機器が提供される。
【００１０】
このような電子機器では、外部に存在している外部記憶体との非接触通信のための外部通信用アンテナが、表示画面の近傍に配設される。また、この外部記憶体と外部通信用アンテナを介して通信する際には、通信を実行させるために外部記憶体を近接させるべき位置を指示するための指示画像が、表示画面に表示される。ユーザが、この指示画像に従って、表示画面の近傍の所定位置に外部記憶体を近接させると、この外部記憶体と非接触通信部との間で外部通信用アンテナを介して非接触通信が行われ、非接触通信部により、外部記憶体の情報記憶領域から情報が読み取られる。
【００１１】
また、本発明では、固体撮像素子により撮像中の画像を表示可能な表示画面を備えた撮像装置において、一方の面に前記表示画面が配設され、前記撮像装置の装置本体における撮像方向と垂直な側面に対して一端を中心として開閉可能に接続された、略平板状の画面搭載部材と、情報記憶領域を備えた外部記憶体が着脱される着脱部と、前記画面搭載部材における前記表示画面の近傍に配設され、前記着脱部に装着されずに外部に存在している前記外部記憶体との間で非接触で信号を送受信する外部通信用アンテナと、外部に存在している前記外部記憶体との間で前記外部通信用アンテナを介して非接触で通信し、少なくとも、当該外部記憶体の前記情報記憶領域の記憶情報を読み取ることが可能な非接触通信部と、外部に存在している前記外部記憶体を、前記外部通信用アンテナと通信させるために近接させるべき位置を指示するための指示画像を、前記表示画面に表示させる表示制御部と、を有することを特徴とする撮像装置が提供される。
【００１２】
このような撮像装置では、外部に存在している外部記憶体との非接触通信のための外部通信用アンテナが、表示画面の近傍に配設される。また、この外部記憶体と外部通信用アンテナを介して通信する際には、通信を実行させるために外部記憶体を近接させるべき位置を指示するための指示画像が、表示画面に表示される。ユーザが、この指示画像に従って、表示画面の近傍の所定位置に外部記憶体を近接させると、この外部記憶体と非接触通信部との間で外部通信用アンテナを介して非接触通信が行われ、非接触通信部により、外部記憶体の情報記憶領域から情報が読み取られる。
【発明の効果】
【００１３】
本発明によれば、ユーザは、表示画面を視認した状態のまま、この表示画面に表示された指示画像に従い、表示画面の近傍の所定位置に外部記憶体を近接させるだけで、外部記憶体と非接触通信部との間で外部通信用アンテナを介して確実に非接触通信を実行させて、外部記憶体の情報記憶領域からの情報読み取りを実行させることができる。従って、外部記憶体から非接触で情報を読み取らせる際の操作性が向上する。
【発明を実施するための最良の形態】
【００１４】
以下、本発明の実施の形態を図面を参照して詳細に説明する。
［実施の形態１］
まず、実施の形態１として、装置本体と、この装置本体に対して開閉可能な状態で設けられたモニタ部とを備える電子機器に、本発明を適用した場合について説明する。ここではこのような電子機器として、撮像装置（カメラ一体型の画像記録再生装置）を例に挙げる。
【００１５】
図１および図２は、実施の形態１に係る撮像装置の外観を示す図である。図１（Ａ）は正面図、（Ｂ）は背面図、図２（Ａ）は平面図、（Ｂ）は側面図をそれぞれ示す。
図１および図２に示す撮像装置１００は、例えばデジタルビデオカメラなどとして実現されるものであり、概略的には、本体部１０１とモニタ部１０２とから構成されている。モニタ部１０２は略平板状の形状を有し、その一方の面には液晶モニタ１０３が設けられている。このモニタ部１０２は、本体部１０１の一方の側面に、図中矢印Ａの方向に回転することで開閉可能な状態で取り付けられている。
【００１６】
なお、モニタ部１０２が閉塞される際には、本体部１０１の側面に形成された凹部１０４に、モニタ部１０２が収容される。また、ここではモニタの例として液晶モニタ１０３を使用しているが、例えば有機ＥＬ（Electroluminescence）ディスプレイなどの他の薄型表示デバイスが用いられてもよい。さらに、図示しないが、このモニタ部１０２の内部には、後述する非接触型通信用のアンテナコイルが搭載されている。
【００１７】
本体部１０１の前面には撮像レンズ１０５が、背面にはファインダ１０６がそれぞれ設けられている。この撮像装置１００を用いて撮影を行う際には、被写体からの反射光が撮像レンズ１０５を通じて内部の撮像素子に照射され、撮像画像信号が生成される。このとき、撮像画像信号に基づく画像が、モニタ部１０２の液晶モニタ１０３、あるいはファインダ１０６内の図示しない液晶モニタに表示され、ユーザはそれらの表示画像を視認しながら撮影を行うことができる。また、内部の記録媒体に記録した画像信号を再生し、再生画像をモニタ部１０２の液晶モニタ１０３に表示させることもできる。
【００１８】
なお、本体部１０１にはさらに、この撮像装置１００を駆動するための２次電池が収容されたバッテリパック２００が、着脱可能な状態で装着されている。また、さらに、図示しないが、本体部１０１におけるモニタ部１０２の取り付け面との反対の側面には、撮像画像信号を記録する可搬型の外部記録媒体が装着される外部記録媒体装着部が形成されている。
【００１９】
さらに、本体部１０１の背面（ファインダ１０６が設けられた面）には各種の入力スイッチが設けられており、その中の１つとして、後述するＩＣタグ読み取りスイッチ１０７が設けられている。なお、液晶モニタ１０３がいわゆるタッチパネル機能を備えている場合、このＩＣタグ読み取りスイッチ１０７を、液晶モニタ１０３上に表示した仮想的なスイッチとして実現してもよい。
【００２０】
図３は、実施の形態１に係る撮像装置の内部構成を示すブロック図である。
図３に示すように、撮像装置１００は、カメラブロック１１１、記録再生処理部１１２、外部記録媒体装着部１１３、ＣＰＵ（Central Processing Unit）１１４、メモリ１１５、入力部１１６、非接触通信部１１７、センサ１１８、表示制御部１１９、および液晶モニタ１０３を備えている。
【００２１】
カメラブロック１１１は、撮像レンズ１０５を構成する光学レンズや、シャッタ、アイリスなどを含む光学ブロック、撮像素子、および、撮像素子からの出力信号をデジタル変換するＡ／Ｄ変換回路などを備えている。
【００２２】
記録再生処理部１１２は、カメラブロック１１１から出力される画像信号に対して、各種の画質補正処理などを施した後、表示制御部１１９に出力して、撮影中の画像を液晶モニタ１０３に表示させる。また、入力部１１６への入力操作などに応じて撮像画像の記録が要求されると、画質補正処理などを施した画像信号に対して記録用のエンコード処理を施した後、処理後の画像信号を外部記録媒体装着部１１３に送信して、ここに装着された外部記録媒体３００に記録させる。さらに、外部記録媒体３００から外部記録媒体装着部１１３を介して読み出された画像信号をデコード処理し、処理後の画像信号を表示制御部１１９に出力して、この画像信号に基づく再生画像を液晶モニタ１０３に表示させることもできる。
【００２３】
外部記録媒体装着部１１３は、可搬型の外部記録媒体３００が装着されると、この外部記録媒体３００に対するデータの読み書きを行う。本実施の形態では、外部記録媒体３００は光ディスクであり、外部記録媒体装着部１１３は、光ディスクに対するデータの読み書きを行うための光ピックアップなどが設けられた光ディスクドライブとして実現される。
【００２４】
ＣＰＵ１１４は、この撮像装置１００全体を統括的に制御する制御部である。このＣＰＵ１１４には、ＲＯＭ（Read Only Memory）やＲＡＭ（Random Access Memory）などのメモリ１１５が接続され、ＣＰＵ１１４は、メモリ１１５から読み出したプログラムを実行することで、撮像装置１００の各部に対する制御処理を行う。
【００２５】
入力部１１６には、各種の入力スイッチが設けられており、入力部１１６は、ユーザによる操作入力に応じた制御信号をＣＰＵ１１４に出力する。なお、この入力スイッチには、上述したＩＣタグ読み取りスイッチ１０７も含まれている。
【００２６】
非接触通信部１１７は、外部記録媒体３００に設けられたＩＣタグ３０１との間で、非接触で通信するためのＲＦ（Radio Frequency）回路である。なお、ここでは、非接触型ＩＣチップとその非接触通信のためのアンテナとを、総称して“ＩＣタグ”と呼ぶことにする。
【００２７】
非接触通信部１１７は、送信データを変調する変調回路１２１、受信データを復調する復調回路１２２、およびアンテナ切替回路１２３などを備えている。また、アンテナ切替回路１２３には、ＩＣタグ３０１と通信するための２つのアンテナコイル１３１および１３２が接続され、アンテナ切替回路１２３は、ＣＰＵ１１４からの命令に応じてアンテナコイル１３１および１３２のうちの一方のみを選択して導通状態とする。なお、これらのアンテナコイル１３１および１３２としては、スパイラル状以外に例えば１ターンのループ状アンテナを用いてもよい。
【００２８】
センサ１１８は、外部記録媒体装着部１１３に対して、外部記録媒体３００が装着したか否かを検出し、その検出結果をＣＰＵ１１４に通知する。なお、例えば外部記録媒体３００が光ディスクの場合、センサ１１８の機能を、外部記録媒体装着部１１３の内部の光ピックアップが兼用してもよい。
【００２９】
表示制御部１１９は、記録再生処理部１１２からの撮像画像信号や再生画像信号を基に表示用の画像信号を生成し、液晶モニタ１０３に出力して画像を表示させる。また、ＣＰＵ１１４から出力される各種の画像（例えばメニュー画像など）を合成表示させる機能も備えている。なお、図３では、ファインダ１０６を通じて撮像画像を表示するための液晶モニタを省略している。また、液晶モニタ１０３は、表示面に対するユーザの接触操作を検出することでＣＰＵ１１４に対して制御信号を出力する、いわゆるタッチパネルとして形成されてもよい。
【００３０】
この撮像装置１００は、外部記録媒体３００の主たる記憶領域に対するデータの読み書き機能に加えて、この外部記録媒体３００に搭載されたＩＣタグ３０１に設けられた記憶領域に対するデータの読み書き機能も備えている。非接触通信部１１７とアンテナコイル１３１および１３２は、ＩＣタグ３０１に対するリーダ／ライタとして機能する。また、ここでは、ＩＣタグ３０１は、非接触通信部１１７からアンテナコイル１３１または１３２を通じて供給される電磁波から、電磁誘導によって動作電力を得るものとする。
【００３１】
撮像装置１００は、外部記録媒体３００が外部記録媒体装着部１１３に装着された状態では、外部記録媒体３００の記憶領域に対するデータの読み書きが可能であると同時に、アンテナコイル１３１を通じて、ＩＣタグ３０１に設けられた記憶領域に対するデータの読み書きが可能となっている。また、外部記録媒体３００が外部記録媒体装着部１１３に装着されていない状態でも、撮像装置１００は、この外部記録媒体３００に搭載されたＩＣタグ３０１の記憶領域に対するデータの読み書きを、アンテナコイル１３２を通じて非接触で行うことができる。
【００３２】
外部記録媒体３００の記憶領域（ＩＣタグ３０１とは別の記憶領域）には、基本的に、撮像装置１００における撮像により得られた画像データ（画像コンテンツ）が記録される。ＩＣタグ３０１の記憶領域には、例えば、外部記録媒体３００に記録された画像コンテンツに関する情報を記録することができる。このような情報の例としては、外部記録媒体３００に記録された各画像コンテンツのファイル名、記録日時、記録時間、ファイル容量などが挙げられる。また、外部記録媒体３００の記憶領域の残容量をＩＣタグ３０１の記憶領域に記録してもよい。
【００３３】
図４は、撮像装置におけるＩＣタグに対する読み書き動作の例を説明するための図である。なお、以下の説明では、例として、アンテナコイル１３２を通じた外部記憶媒体３００との通信では、基本的に、ＩＣタグ３０１からのデータの読み取りのみが行われるものとする。
【００３４】
撮像装置１００は、外部記録媒体３００に搭載されたＩＣタグ３０１との通信処理に関して、図４のように、“内部ＩＣタグ読み書きモード”と“外部ＩＣタグ読み取りモード”の２種類の動作モードを採る。
【００３５】
内部ＩＣタグ読み書きモードは、外部記録媒体装着部１１３に外部記録媒体３００が装着された状態において、ＩＣタグ３０１の記憶領域に対してアンテナコイル１３１を介してデータの読み書きを行う動作モードである。この内部ＩＣタグ読み書きモードでは、外部記録媒体３００の記憶領域に対して撮像画像データが記録されると、その記録動作に応じた上記情報が、ＩＣタグ３０１の記憶領域に対して記録される。また、内部ＩＣタグ読み書きモードに設定された状態で、ＩＣタグ読み取りスイッチ１０７が押下されると、ＩＣタグ３０１の記憶情報がアンテナコイル１３１を通じて読み出され、液晶モニタ１０３に表示される。
【００３６】
外部ＩＣタグ読み取りモードは、撮像装置１００の外部に外部記録媒体３００が存在する場合に、ＩＣタグ３０１の記憶領域からアンテナコイル１３２を介してデータの読み出しが行われる動作モードである。この外部ＩＣタグ読み取りモードでは、ＩＣタグ読み取りスイッチ１０７が押下されると、ＩＣタグ３０１の記憶情報がアンテナコイル１３２を通じて読み出され、液晶モニタ１０３に表示される。
【００３７】
撮像装置１００においては、外部記録媒体装着部１１３に対して外部記録媒体３００が装着されたことがセンサ１１８により検出されると、内部ＩＣタグ読み書きモードに自動的に遷移する。従って、ユーザが外部記録媒体３００を外部記録媒体装着部１１３に装着し、その直後にＩＣタグ読み取りスイッチ１０７を押下すると、外部記録媒体３００の記憶領域の読み出しを待たずして、ＩＣタグ３０１に記憶された情報を液晶モニタ１０３を通じて即座に確認できるようになる。なお、ＩＣタグ読み取りスイッチ１０７が押下されなくても、外部記録媒体３００の記憶領域からの読み出しが行われている間に、ＩＣタグ３０１から情報を読み出して表示する処理を並行して行うようにしてもよい。
【００３８】
また、内部ＩＣタグ読み書きモードに設定された状態で、ＩＣタグ読み取りスイッチ１０７を長押しする（一定時間以上押下し続ける）ことで、外部ＩＣタグ読み取りモードに遷移させることもできる。従って、外部記録媒体３００が外部記録媒体装着部１１３に装着された状態でも、他の外部記録媒体３００のＩＣタグ３０１に記憶された情報を確認することも可能となる。
【００３９】
一方、センサ１１８の検出結果に基づき、外部記録媒体装着部１１３に対して外部記録媒体３００が装着されていない場合には、外部ＩＣタグ読み取りモードに自動的に遷移する。従って、この状態では、ユーザは、外部記録媒体３００を撮像装置１００に装着することなく、その外部記録媒体３００に搭載されたＩＣタグ３０１に記憶された情報を、液晶モニタ１０３を通じて確認することができる。このため、例えば、残容量の少ない外部記録媒体３００を撮像装置１００に装着してしまう事態を回避したり、あるいは、撮像装置１００で再生したい画像コンテンツが外部記録媒体３００に記録されているか否かを事前に確認できるようになる。
【００４０】
なお、後述するように、外部ＩＣタグ読み取りモードでＩＣタグから情報を読み取る場合には、まず、外部記録媒体３００のＩＣタグ３０１を撮像装置１００に近接させる位置を指示するための表示情報が、液晶モニタ１０３に表示される。この表示情報は、例えば、内部ＩＣタグ読み書きモードにおいて、ＩＣタグ読み取りスイッチ１０７が長押しされて外部ＩＣタグ読み取りモードに遷移することで表示され、その後にＩＣタグ３０１からの情報読み取りが正常に完了すると、その読み取り動作に応じた情報が液晶モニタ１０３に表示される。
【００４１】
また、外部記録媒体３００が外部記録媒体装着部１１３から取り外されたことが検知されて、内部ＩＣタグ読み書きモードから外部ＩＣタグ読み取りモードに遷移すると、自動的に上記の表示情報が液晶モニタ１０３に表示されるようにしてもよい。これによりユーザは、外部ＩＣタグ読み取りモードに遷移したことを容易に認識可能となり、外部記録媒体３００を撮像装置１００に装着する前に、ＩＣタグ３０１に記憶された情報を液晶モニタ１０３を通じてより短時間で確認することができる。
【００４２】
また、外部ＩＣタグ読み取りモードに設定された状態で、ＩＣタグ読み取りスイッチ１０７を長押しすることで、内部ＩＣタグ読み書きモードに遷移させることもできる。この場合には、モード遷移後に、上記の表示情報を自動的に液晶モニタ１０３から消すようにしてもよい。
【００４３】
なお、上記のように動作モードの切り替えが行われると、アンテナ切替回路１２３では、ＣＰＵ１１４からの命令に応じて、アンテナコイル１３１または１３２の一方が自動的に選択される。
【００４４】
また、ここでは、ＩＣタグ３０１に記憶された情報を液晶モニタ１０３に表示する例を挙げたが、この他に例えば、ＩＣタグ３０１に記憶された情報（識別情報など）に対応付けられた情報を、撮像装置１００の内部から読み出して液晶モニタ１０３に表示してもよい。また、この撮像装置１００がネットワークへの接続機能を備えている場合には、ＩＣタグ３０１に記憶された情報に対応付けられた情報をネットワーク経由でサーバから読み出し、その情報を液晶モニタ１０３に表示することもできる。また、例えば、ＩＣタグ３０１から読み出した情報の中から液晶モニタ１０３に表示させる情報の種類を、あらかじめ設定することができるようにしてもよい。
【００４５】
次に、図５は、上記の撮像装置において使用される光ディスクの構成例を示す図である。なお、ここでは光ディスクの例として、直径８０ｍｍのＤＶＤ（Digital Versatile Disk）、特に、追記可能型あるいは書き換え可能型のＤＶＤを想定する。
【００４６】
図５に示すように、光ディスク３１０の中央部には中心孔３１１が設けられており、この光ディスク３１０が光ディスクドライブに挿入されたときに、この中心孔３１１を中心に回転され、信号記録面にレーザ光が照射されて、その反射光の光量に応じて信号が読み取られる。また、光ディスク３１０の中心孔３１１から所定距離分だけ外側の領域は、Ａｇ（銀）あるいはＡｌ（アルミニウム）などの導電性材料からなる反射膜や、記録膜、誘電体膜などが成膜された信号記録領域３１２となっている。さらに、信号記録領域３１２と中心孔３１１との間は、光ディスクドライブ内でこの光ディスク３１０をチャッキングするための領域であり、チャッキング領域３１３などと呼ばれる。
【００４７】
そして、このチャッキング領域３１３には、上述したＩＣタグ３０１、すなわち、非接触型ＩＣチップ３２１と、この非接触型ＩＣチップ３２１が外部のリーダ／ライタとの間で非接触で通信するためのアンテナコイル３２２とが設けられている。図５の例では、アンテナコイル３２２を３ターンのスパイラル状のものとしている。このような形状のアンテナコイル３２２は、例えば、通信周波数として１３．５６ＭＨｚに代表される短波帯を用いた場合に好適である。
【００４８】
なお、非接触型ＩＣチップ３２１の非接触通信のためのアンテナは、光ディスク３１０の回転時における重量バランスを保つために、中心孔３１１の周囲領域に、回転軸を中心としたスパイラル状（あるいはループ状）に設けられることが望ましい。また、このようなアンテナは、図５のようなチャッキング領域３１３に限らず、例えば、反射膜や記録膜が成膜された領域の裏面や、その領域よりさらに外側のディスク縁部のディスク基板に設けられてもよい。
【００４９】
次に、上記の撮像装置１００において、アンテナコイル１３２を通じてＩＣタグ３０１からの情報読み取りが行われる際の動作について、具体的に説明する。
撮像装置１００の外部に存在する光ディスク３１０上の非接触型ＩＣチップ３２１から情報を読み取る場合には、非接触型ＩＣチップ３２１に接続されたアンテナコイル３２２と、撮像装置１００側に搭載されたリーダ／ライタ用のアンテナコイル１３２とが、互いに対向した状態で近接するように光ディスク３１０を配置する必要がある。また、このときに良好な通信が行われるには、光ディスク３１０側のアンテナコイル３２２の中心と、撮像装置１００側のアンテナコイル１３２の中心とが、互いに一致している状態にできるだけ近づけることが望ましい。
【００５０】
一方、図１および図２を参照すると、上記の撮像装置１００を用いて撮影が行われる場合、通常は、本体部１０１におけるモニタ部１０２とは反対側の側面が、ユーザの右手によって保持される。そして、モニタ部１０２が本体部１０１に対して略垂直に開かれ、本体部１０１の後方（ファインダ１０６が取り付けられた側）に向けた液晶モニタ１０３をユーザが視認しながら、撮影が行われる。
【００５１】
このようなユーザによる撮影時の基本的な姿勢が変化することなく、光ディスク３１０上の非接触型ＩＣチップ３２１との間のアンテナコイル１３２を通じた正常な通信ができるようにするには、ユーザが光ディスク３１０を左手で保持した状態で、その光ディスク３１０上のアンテナコイル３２２を位置合わせしやすい位置に、撮像装置１００側のアンテナコイル１３２が配置されていることが望ましい。このためには、アンテナコイル１３２を液晶モニタ１０３に近い位置に配置することが望ましいが、光ディスク３１０を位置合わせしたときに、液晶モニタ１０３の表示面が遮られないことも要求される。
【００５２】
図６は、撮像装置におけるアンテナコイルの配置例を示す図である。
本実施の形態では、上記の条件を満たす位置として、図６（Ａ）に示すように、撮像装置１００側のアンテナコイル１３２を、モニタ部１０２の内部で、かつ、液晶モニタ１０３の表示面の裏側に配置する。これにより、ユーザが光ディスク３１０を左手で保持し、その光ディスク３１０をモニタ部１０２に近づけることで、光ディスク３１０上の非接触型ＩＣチップ３２１に対して、アンテナコイル１３２を通じた通信を実行させることができるようにする。また、図６（Ｂ）に示すように、モニタ部１０２における液晶モニタ１０３の表示面の裏側から光ディスク３１０を近づけることで、非接触型ＩＣチップ３２１との通信が実行されるようにして、液晶モニタ１０３に対するユーザの視線が妨害されないようにする。
【００５３】
図７は、上記の光ディスクが収容される光ディスクケースの構成例を示す図である。
上述したように、アンテナコイル１３２により非接触型ＩＣチップ３２１と良好に通信するためには、光ディスク３１０側のアンテナコイル３２２と、撮像装置１００側のアンテナコイル１３２とが、互いの中心が一致した状態で近接されることが望ましい。このような位置合わせ作業を容易かつ確実に実行できるようにするために、本実施の形態では、光ディスク３１０を光ディスクケースに収容した状態で非接触型ＩＣチップ３２１の通信を実行させるようにし、光ディスクケースの表面に、内部の光ディスク３１０の中心軸の位置を視覚的に認識できるようなマーカを設けておく。
【００５４】
図７では、光ディスク３１０を収容した状態の光ディスクケースの構成例を示している。図７（Ａ）の例では、樹脂製の光ディスクケース３３０ａのディスク面と平行な面に、互いに直交する２本の線状のマーカ３３１ａおよび３３１ｂを配設している。この例では、マーカ３３１ａおよび３３１ｂは、互いに交差する位置が光ディスク３１０の中心軸と一致するように配設されている。
【００５５】
また、図７（Ｂ）の例では、同じく樹脂製の光ディスクケース３３０ｂのディスク面と平行な面に、４つの点状のマーカ３３２ａ〜３３２ｄを配設している。これらのマーカ３３２ａ〜３３２ｄは、マーカ３３２ａおよび３３２ｂを互いに結んだ線と、マーカ３３２ｃおよび３３２ｄを互いに結んだ線とが垂直に交差し、かつ、それらの交差する位置が光ディスク３１０の中心軸と一致するように配設される。
【００５６】
なお、上記のマーカ３３１ａ，３３１ｂ，３３２ａ〜３３２ｄは、例えば、光ディスクケース上に印刷などにより描画されてもよいし、あるいは、ケースと同じ素材によりケース上に凸状または凹状に一体形成されてもよい。また、当然ながら、光ディスクケースにおけるこれらのマーカが形成された面は、２つのアンテナコイルが電磁的に結合可能なように非導電性の材料で形成されている必要がある。
【００５７】
図８は、外部の光ディスク上のＩＣタグから情報を読み取る際の撮像装置および光ディスクケースの状態の例を示す図である。なお、ここでは例として、図７（Ａ）に示した光ディスクケース３３０ａを用いた場合を説明するが、図７（Ｂ）の光ディスクケース３３０ｂも同様に利用することができる。
【００５８】
本実施の形態の撮像装置１００は、内部ＩＣタグ読み書きモードにおいてＩＣタグ読み取りスイッチ１０７が押下されると、まず、液晶モニタ１０３に、光ディスクケースを近接させる位置を指示するための表示情報を表示させる。図８（Ａ）の例では、液晶モニタ１０３上に、光ディスクケース３３０ａに配設された線状のマーカ３３１ａおよび３３１ｂが通る位置を指示するためのマーカ１４１ａ〜１４１ｃが表示されている。
【００５９】
すなわち、マーカ３３１ａとマーカ１４１ａおよび１４１ｂとが重なり、かつ、マーカ３３１ｂとマーカ１４１ｃとが重なるように、液晶モニタ１０３の裏面に光ディスクケース３３０ａを位置合わせして近接させることで、光ディスク３１０上のアンテナコイル３２２の中心軸と撮像装置１００側のアンテナコイル１３２の中心軸とが一致し、アンテナコイル間で確実に電磁結合するようになる。なお、図８（Ａ）の例では、マーカ１４１ａ〜１４１ｃとともに、これらを用いた位置合わせ作業の手順を案内するための文字情報も、液晶モニタ１０３に表示している。
【００６０】
このようにして、光ディスク３１０上の非接触型ＩＣチップ３２１からアンテナコイル１３２を通じて情報が正常に読み出されると、撮像装置１００は、図８（Ｂ）に示すように、読み出した情報を液晶モニタ１０３に表示させる。この例では、光ディスク３１０の信号記録領域３１２に記録された画像ファイルごとの記録日時（録画日時）を示す文字情報と、信号記録領域３１２における残容量（ディスク残容量）を示すバー状画像とが表示されている。
【００６１】
なお、光ディスクケース上に配設されるマーカの位置や形状と、それらに対応して液晶モニタに表示される位置合わせ用の指示画像との組み合わせは、上記の図７および図８に示したものに限らず、他の様々な組み合わせを適用できる。また、液晶モニタ１０３に表示されるマーカ画像や文字情報などは、例えば、メモリ１１５などにあらかじめ記憶され、ＣＰＵ１１４の制御によりメモリ１１５などから読み出されて表示制御部１１９に出力されることで、液晶モニタ１０３に表示されればよい。
【００６２】
以上説明した実施の形態１では、非接触型ＩＣチップ３２１との通信用のアンテナコイル１３２を、モニタ部１０２に設け、非接触型ＩＣチップ３２１が搭載された光ディスク３１０を、液晶モニタ１０３の裏面に対向させて近づけることで、非接触型ＩＣチップ３２１との通信ができるようにした。これにより、ユーザは、撮像装置１００の本体部１０１を右手で保持し、液晶モニタ１０３を視認した状態（すなわち、通常の撮影時の状態）を変えることなく、光ディスク３１０上の非接触型ＩＣチップ３２１からの情報読み取りを実行させて、読み取られた情報を液晶モニタ１０３を通じて確認できるようになる。従って、情報読み取りに際する操作性が向上され、例えばユーザの撮影作業が長時間に及んだ場合でも、その作業上のストレスを軽減できる。
【００６３】
また、アンテナコイル１３２を用いた非接触型ＩＣチップ３２１との通信時には、光ディスク３１０が収容された光ディスクケースを、通信が良好にできる位置に確実に近接配置させるための指示画像を液晶モニタ１０３に表示させたことにより、ユーザによる位置合わせの作業を容易にすることができる。例えば、ユーザが撮像装置１００の向きを変えたり、液晶モニタ１０３から大きく視線をそらすことなく、非接触型ＩＣチップ３２１からの情報読み取りを短時間で確実に実行させることができる。
【００６４】
さらに、以下で説明する別の実施の形態でわかるように、撮像装置１００側のアンテナコイル１３２の位置は製品ごとに変更されることが十分に考えられるが、このようにアンテナコイル１３２の位置が異なる多種の製品を提供する場合にも、光ディスク３１０を近接させる位置を指示する指示画像のデータを変更するだけで対応できる。従って、製品の開発・製造コストを増大させることなく、多くの製品に上記効果をもたらすことができる。
【００６５】
［実施の形態２］
図９は、実施の形態２に係る撮像装置において使用される光ディスクの構成例を示す図である。なお、この図９では、図５と同じ構成要素については同じ符号を付して示し、それらの説明を省略する。
【００６６】
実施の形態２では、非接触型ＩＣチップと同一パッケージ上に、非接触通信用のアンテナコイルが一体に搭載されたタイプのＩＣタグを、光ディスクに搭載した場合について説明する。図９の例では、このようなアンテナ一体型のＩＣタグ３２３を、図５と同様の基本構造を有する直径８０ｍｍのＤＶＤである光ディスク３１０ａのチャッキング領域３１３に配設している。
【００６７】
このようなアンテナ一体型のＩＣタグ３２３では、通常、実施の形態１で使用した構成の光ディスク３１０と比較して、非接触通信用のアンテナコイルの外径が小さくなる。例えば、アンテナコイルの外径が、非接触型ＩＣチップのチップサイズとほぼ同等の数百μｍから数ｍｍ程度となるＩＣタグが、すでに実現されている。
【００６８】
非接触型ＩＣチップ側のアンテナコイルの外径を小さくした場合、このアンテナコイルとの結合率を高めるためには、リーダ／ライタ側のアンテナコイルの外径も小さくすることが好ましい。そこで、以下の図１０〜図１３では、モニタ部に設けたアンテナコイルの外径を、実施の形態１のものより小さくした場合の撮像装置の構成例を挙げる。なお、本実施の形態の撮像装置の内部構成は、図３に示した撮像装置１００と同様であるので、ここでは説明を省略する。また、以下の図１０〜図１３では、図１および図２と同じ構成要素については同じ符号を付して示し、それらの説明を省略する。
【００６９】
図１０は、実施の形態２−１に係る撮像装置の構成を示す図である。
図１０に示す撮像装置１００ａは、上述した実施の形態１の撮像装置１００と同様に、アンテナコイル１３２を、その中心軸が液晶モニタ１０３の表示面と垂直になるように、モニタ部１０２の内部に配設したものである。ただし、アンテナコイル１３２の外径は、実施例１の場合より小さくなっている。
【００７０】
この撮像装置１００ａでは、内部ＩＣタグ読み書きモードにおいてＩＣタグ読み取りスイッチ１０７が長押しされると、外部ＩＣタグ読み取りモードに遷移して、液晶モニタ１０３に、光ディスク３１０ａ上のＩＣタグ３２３を近接させる位置を指示するための表示情報が表示される。この例では、アンテナコイル１３２の中心軸に対応する位置に、点状のマーカ１４２ａを表示するとともに、ユーザに操作手順を案内するための文字情報を表示している。
【００７１】
ユーザは、光ディスク３１０ａ（あるいは、図１０（Ｂ）のように光ディスクケース３３０に収納された状態の光ディスク３１０ａ）を、液晶モニタ１０３の表示面の裏側から対向させて近接させる。このとき、液晶モニタ１０３に表示されたマーカ１４２ａの裏側に、光ディスク３１０ａ上のＩＣタグ３２３が配置されるように位置合わせすることで、ＩＣタグ３２３上のアンテナコイルと撮像装置１００ａ側のアンテナコイルとが容易に電磁結合され、記憶情報の読み取りが実行される。
【００７２】
従って、ユーザは、右手で本体部１０１を保持し、液晶モニタ１０３を視認したままの状態で、左手で光ディスク３１０ａあるいはこれが収納された光ディスクケース３３０を保持することで、ＩＣタグ３２３とアンテナコイル１３２との位置合わせを容易に行うことができるようになり、ＩＣタグ３２３の記憶情報を短時間で確実に表示させることが可能となる。また、特に、図１０の例のように、アンテナコイル１３２をモニタ部１０２の本体部１０１とは反対側の端部に近い位置に配設することで、ＩＣタグ３２３とアンテナコイル１３２の中心軸とをより正確に位置合わせしやすくなる。
【００７３】
図１１は、実施の形態２−２に係る撮像装置の構成を示す図である。
図１１に示す撮像装置１００ｂでは、モニタ部１０２の側部（すなわち、本体部１０１とは反対側の端部）の内部に、その中心軸が液晶モニタ１０３の表示面と平行となるように、アンテナコイル１３２が配設されている。
【００７４】
この場合、液晶モニタ１０３には、光ディスク３１０ａ上のＩＣタグ３２３を近接させる位置を指示するための表示情報として、例えば、図１１（Ｂ）に示すように、モニタ部１０２の側部を指し示す矢印状のマーカ１４２ｂを、アンテナコイル１３２の中心軸に合わせて表示させる。ユーザはこの表示情報に従って、光ディスク３１０ａあるいはこれが収納された光ディスクケース３３０を、モニタ部１０２の側部に対向させて近接させることで、ＩＣタグ３２３とアンテナコイル１３２の中心軸とを容易に正確に位置合わせし、記憶情報の読み取りを短時間で実行させることができる。
【００７５】
図１２は、実施の形態２−３に係る撮像装置の構成を示す図である。
図１２に示す撮像装置１００ｃでは、モニタ部１０２の上側部の内部に、その中心軸が液晶モニタ１０３の表示面と平行となるように、アンテナコイル１３２が配設されている。
【００７６】
この場合、液晶モニタ１０３には、光ディスク３１０ａ上のＩＣタグ３２３を近接させる位置を指示するための表示情報として、例えば、図１２（Ｂ）に示すように、モニタ部１０２の上側部を指し示す矢印状のマーカ１４２ｃを、アンテナコイル１３２の中心軸に合わせて表示させる。ユーザはこの表示情報に従って、光ディスク３１０ａあるいはこれが収納された光ディスクケース３３０を、モニタ部１０２の上側部に対向させて近接させることで、ＩＣタグ３２３とアンテナコイル１３２の中心軸とを容易に正確に位置合わせし、記憶情報の読み取りを短時間で実行させることができる。
【００７７】
図１３は、実施の形態２−４に係る撮像装置の構成を示す図である。
図１３に示す撮像装置１００ｄでは、モニタ部１０２の下側部の内部に、その中心軸が液晶モニタ１０３の表示面と平行となるように、アンテナコイル１３２が配設されている。
【００７８】
この場合、液晶モニタ１０３には、光ディスク３１０ａ上のＩＣタグ３２３を近接させる位置を指示するための表示情報として、例えば、図１３（Ｂ）に示すように、モニタ部１０２の下側部を指し示す矢印状のマーカ１４２ｄを、アンテナコイル１３２の中心軸に合わせて表示させる。ユーザはこの表示情報に従って、光ディスク３１０ａあるいはこれが収納された光ディスクケース３３０を、モニタ部１０２の下側部に対向させて近接させることで、ＩＣタグ３２３とアンテナコイル１３２の中心軸とを容易に正確に位置合わせし、記憶情報の読み取りを短時間で実行させることができる。
【００７９】
なお、以上の実施の形態２における光ディスク３１０ａについても、光ディスクケースに収納した状態でＩＣタグ３２３からの情報読み取りを実行させる際には、図７に示したようなディスク中心部を容易に識別可能にするためのマーカが配設された光ディスクケースを用いてもよい。ＩＣタグ３２３がチャッキング領域３１３に配設されている場合には、図７に示したような光ディスクケースを用いることで、ディスク中心部を液晶モニタ１０３上のマーカが示す位置に容易に配置できるので、結果的にＩＣタグ３２３をアンテナコイル１３２の中心軸に近づけやすくなる。
【００８０】
また、外部記録媒体３００を収納したときに、その外部記録媒体３００上のＩＣタグ３０１のアンテナ中心が、必ず特定の位置に配置されるように構成された収納ケースであれば、アンテナ中心に対応する位置を視覚的に識別可能にするためのマーカを、収納ケースの外面にあらかじめ配設しておくことができる。この場合、液晶モニタ１０３には、収納ケース上のマーカの位置を指示するような指示画像を表示して、外部記録媒体３００上のアンテナコイルと撮像装置側のアンテナコイル１３２とを、良好に電磁結合させるようにしてもよい。このような外部記録媒体３００としては、例えば、磁気テープが収容されたテープカセットなどが想定される。
【００８１】
［実施の形態３］
図１４は、実施の形態３で使用されるメモリカードの構成例を示す図である。
実施の形態３では、外部記録媒体３００として、フラッシュメモリを備えたメモリカードを使用した撮像装置について説明する。図１４では、このようなメモリカードに対して、２種類の異なる構造を持つＩＣタグを搭載した場合の構成例を概略的に示している。なお、図１４（Ａ）および（Ｂ）におけるそれぞれの左側の図では、メモリカードの内部に設けたＩＣタグを透過した状態で示し、それぞれの右側の図では、メモリカードの外面を示している。
【００８２】
図１４（Ａ）に示すメモリカード３４０ａには、非接触型ＩＣチップ３４１と、この外部に接続されたアンテナコイル３４２とからなるＩＣタグが搭載されている。一方、図１４（Ｂ）に示すメモリカード３４０ｂには、図９に示したようなアンテナコイル一体型のＩＣタグ３４３が搭載されている。これらのメモリカード３４０ａおよび３４０ｂでは、内部のアンテナコイルの中心軸の位置をユーザが視覚的に認識できるように、筐体表面の対応する位置にマーカ３４４および３４５が配設されている。なお、これらのマーカ３４４および３４５は、例えば、筐体上に印刷などによって描画されていてもよいし、あるいは、筐体上に凸状または凹状に一体形成されていてもよい。
【００８３】
これらのうち、メモリカード３４０ｂでは、実施の形態２において述べたように、ＩＣタグのアンテナコイルの外径が非常に小さいものとなる。また、メモリカード３４０ａにおいても、その筐体自体の大きさの制約から、例えば実施の形態１の構成の場合と比較して、アンテナコイル３４２の外径ははるかに小さなものとなる。従って、これらのメモリカード３４０ａおよび３４０ｂ内のＩＣタグと通信するためのリーダ／ライタ側のアンテナコイルの外径も、実施の形態１の場合より小さくすることが好ましい。
【００８４】
なお、ここでは、ＩＣタグの記憶領域が、メモリカード本体のフラッシュメモリの記憶領域とは個別に設けられるものとして説明するが、例えば他に、メモリカード本体のフラッシュメモリの記憶領域に対する読み書きを、外部機器からの有線を介した接続と、アンテナコイルを介した非接触での接続の両方で実行できる構成としてもよい。また、本実施の形態の撮像装置の内部構成は、図３に示した撮像装置１００と同様であるので、ここでは説明を省略する。
【００８５】
図１５は、実施の形態３に係る撮像装置の構成例を示す図である。なお、この図１５では、図１０と同じ構成要素については同じ符号を付して示し、それらの説明を省略する。
この図１５では、メモリカードを使用する撮像装置１００ｅとして、図１０の撮像装置１００ａのように、液晶モニタ１０３の裏側にアンテナコイル１３２を配設した場合を例示している。この撮像装置１００ｅにおいて、内部ＩＣタグ読み書きモードの状態でＩＣタグ読み取りスイッチ１０７が押下されると、液晶モニタ１０３に、光ディスク３１０ａ上のＩＣタグ３２３を近接させる位置を指示するための表示情報が表示される。この例では、アンテナコイル１３２の中心軸に対応する位置に、点状のマーカ１４３ａを表示するとともに、ユーザに操作手順を案内するための文字情報を表示している。
【００８６】
ユーザは、図１５（Ｂ）に示すように、メモリカード３４０（上記のメモリカード３４０ａまたは３４０ｂを指す）を、液晶モニタ１０３の表示面の裏側から対向させて近接させ、表示されたマーカ１４３ａの裏側にメモリカード３４０のマーカ（マーカ３４４または３４５）が配置されるように、位置合わせを行う。これにより、メモリカード３４０内のアンテナコイルと撮像装置１００ｅ側のアンテナコイル１３２とが容易に電磁結合され、記憶情報の読み取りが実行される。
【００８７】
なお、ここでは一例として、アンテナコイル１３２を液晶モニタ１０３の裏側に配設した場合について説明したが、この他に例えば、図１１〜図１３で示したように、アンテナコイル１３２を、モニタ部１０２の側部、上側部、下側部のいずれかの内部に配設してもよい。また、液晶モニタ１０３における表示情報についても、同様に変形させることができる。そして、これらのすべての構成において、ユーザは、メモリカード３４０内のアンテナコイルと撮像装置１００ｅ側のアンテナコイル１３２との中心軸同士を容易に正確に位置合わせし、記憶情報の読み取りを短時間で実行させることができる。
【００８８】
［実施の形態４］
上記の実施の形態１〜３では、装置本体に対して開閉可能な状態で設けられたモニタ部を備える電子機器について説明したが、以下の実施の形態４では、モニタ部と装置本体とが一体に構成された電子機器に対して、本発明を適用した場合について説明する。ここでは、カメラ機能を備えた携帯型の電話機を例に挙げる。
【００８９】
図１６は、実施の形態４に係る携帯電話機の内部構成を示すブロック図である。なお、この図１６では、図３の撮像装置１００に搭載されたものと同じ機能のブロックについては同じ符号を付して示し、それらの説明を省略する。
【００９０】
図１６に示す携帯電話機４００には、無線を通じた通話のための処理を行う通話処理部４１１と、通話のための無線通信を行うＲＦ回路である無線通信部４１２と、通話時の音声入出力処理を行う音声処理部４１３とが設けられている。
【００９１】
通話処理部４１１は、ＣＰＵ１１４による制御の下で動作し、無線通信部４１２を介した通話処理を全般的に制御する。例えば、無線通信部４１２を通じた受信データから音声データを抽出して音声処理部４１３に出力し、音声の再生を要求する。また、音声処理部４１３を通じて入力された音声データをパケットに組み込み、無線通信部４１２に出力して送信を要求する。
【００９２】
無線通信部４１２は、無線電話回線の基地局との間で通信するためのアンテナを備え、このアンテナからの受信信号の復調やデータ分離、送信すべきデータの生成や変調などを行う。
【００９３】
音声処理部４１３には、スピーカおよびマイクロフォン（いずれも図示せず）が接続されており、音声処理部４１３は、マイクロフォンからの音声信号やスピーカに出力する音声信号の増幅、音声信号のエンコード／デコード処理などを行う。
【００９４】
また、この携帯電話機４００は、実施の形態１〜３で説明した撮像装置と同様の画像撮像機能を備えている。すなわち、カメラブロック１１１において撮像素子より撮像された画像信号は、デジタル信号として記録再生処理部１１２に供給され、ここから、表示制御部１１９に対してモニタ用の画像信号が出力される。そして、ユーザの操作入力などに応じて画像信号の記録が要求されると、記録再生処理部１１２によりエンコードされた画像データが、外部記録媒体装着部１１３を介して外部記録媒体３００に記録される。また、外部記録媒体３００から読み出された画像信号を記録再生処理部１１２においてデコードし、再生画像を液晶モニタ１０３に表示させることもできる。
【００９５】
また、実施の形態１〜３と同様に、外部記録媒体３００に搭載されたＩＣタグ３０１には、例えばこの外部記録媒体３００の主たる記憶領域に記憶された画像コンテンツに関する情報や、記憶領域の残容量などが記録される。そして、外部記録媒体３００が外部記録媒体装着部１１３に装着された状態では、ＩＣタグ３０１の記憶領域に対してアンテナコイル１３１を介してデータの読み書きが行われ、外部記録媒体３００が携帯電話機４００の外部に存在する場合には、ＩＣタグ３０１の記憶領域に対してアンテナコイル１３２を介してデータの読み書きが行われる。
【００９６】
なお、例えば、無線通信部４１２を通じて、通話処理だけでなく、電子メールの送受信処理が行われる場合には、受信した電子メールのデータを外部記録媒体３００に記録できるようにしてもよい。また、電子メールの添付ファイルを受信可能である場合には、添付ファイルとして受信した画像コンテンツや音声コンテンツのデータを、外部記録媒体３００に記録できるようにしてもよい。
【００９７】
さらに、この携帯電話機４００は、カード型部材の内部にＩＣタグ５０１を備えた非接触型ＩＣカード５００との通信機能も備えている。非接触型ＩＣカード５００内のＩＣタグ５０１は、非接触通信部１１７からアンテナコイル１３３を通じて供給される電磁波から、電磁誘導によって動作電力を得る。そして、携帯電話機４００は、このアンテナコイル１３３を介して、非接触型ＩＣカード５００のＩＣタグ５０１に対してデータの読み書きを行う。
【００９８】
アンテナ切替回路１２３は、ＣＰＵ１１４からの命令に応じて、３つのアンテナコイル１３１〜１３３のうちいずれか１つのみを選択して、信号を送受信する。非接触型ＩＣカード５００との通信を行う場合には、例えば、ユーザによる入力部１１６への入力操作により非接触型ＩＣカード５００との通信モードが選択されると、アンテナ切替回路１２３がアンテナコイル１３３のみを選択して導通状態とする。
【００９９】
ここで、本実施の形態では、外部記録媒体３００として、実施の形態３で挙げたメモリカード３４０（メモリカード３４０ａまたは３４０ｂ）が用いられるものとする。上述したように、メモリカード３４０に搭載されたＩＣタグを構成するアンテナコイルの外径は非常に小さく、特にアンテナ一体型のものでは数百μｍから数ｍｍ程度のものもある。
【０１００】
これに対して、非接触型ＩＣカード５００は、外部筐体自体が外部記録媒体３００よりはるかに大きい。例えば、ＩＳＯ（International Organization for Standardization）、あるいはＪＩＳ（Japanese Industrial Standard）規格では、非接触型ＩＣカードの外形寸法を長辺寸法８５．６ｍｍ、短辺寸法５３．９８ｍｍと規定している。そして、このような非接触型ＩＣカード５００の内部には、通常、略長方形状のアンテナコイルがその外周に沿って配置される。このため、非接触型ＩＣカード５００に搭載されたＩＣタグを構成するアンテナコイルの外径は、メモリカード３４０内のアンテナコイルの外径よりも明らかに大きくなる。
【０１０１】
このように、外部記録媒体３００の備えるアンテナコイルと非接触型ＩＣカード５００の備えるアンテナコイルとでは外径が大きく異なるため、通信可能距離をそれぞれ同等とすれば、それぞれが良好に電磁結合することが可能なリーダ／ライタ側のアンテナコイルの外径も互いに異なる。このために、携帯電話機４００には、外部記録媒体３００のＩＣタグ３０１との通信のためのアンテナコイル１３２と、非接触型ＩＣカード５００のＩＣタグ５０１との通信のためのアンテナコイル１３３とがそれぞれ個別に設けられ、これらが切り替えられて使用されるようになっている。
【０１０２】
なお、本実施の形態の携帯電話機４００では、例として、外部の非接触型ＩＣカード５００との非接触での通信機能を設けたが、この携帯電話機４００自体が非接触型ＩＣカード５００のＩＣタグ５０１の機能を果たすようにしてもよい。この場合、携帯電話機４００内のＩＣタグが、外部のリーダ／ライタからの信号をアンテナコイル１３３を通じて受けて動作し、ＩＣタグの記憶領域に対するデータの読み書きを行う。
【０１０３】
この場合でも、アンテナコイル１３３と通信する外部のリーダ／ライタは、上記の非接触型ＩＣカード５００との通信が可能となるように最適化されたものが多いため、このリーダ／ライタとの通信用のアンテナコイル１３３を、メモリカード３４０との通信用のアンテナコイル１３２とは別に設けておく必要がある。
【０１０４】
以下の実施の形態４−１〜４−５では、このような携帯電話機４００におけるアンテナコイル１３２および１３３の配置例と、メモリカード３４０との通信時における画面表示例を挙げる。まず、図１７は、実施の形態４−１に係る携帯電話機の構成を示す図である。
【０１０５】
図１７に示す携帯電話機４００ａは、液晶モニタ１０３や、各種入力キーからなる入力パネル４２１などが配設された本体表側において、メモリカード３４０のＩＣタグとの通信を行い、カメラの撮像レンズ４２２などが配設された本体裏面において、非接触型ＩＣカード５００との通信を行うようにしたものである。なお、図１７では、アンテナコイル１３２および１３３のそれぞれの位置を、それぞれ透過的に示している。
【０１０６】
この携帯電話機４００ａが使用される際には、ユーザは通常、液晶モニタ１０３を自身の方向に向けてその表示情報を視認した状態で、この携帯電話機４００ａを保持する。従って、携帯電話機４００ａの外部に存在するメモリカード３４０のＩＣタグや、非接触型ＩＣカード５００のＩＣタグ５０１との通信を実行させる場合でも、このための作業を上記の基本姿勢のままで行えることが望ましい。
【０１０７】
特に、メモリカード３４０のＩＣタグとの通信のためのアンテナコイル１３２の外径は小さいため、このＩＣタグとの通信時には、アンテナコイル１３２に対してメモリカード３４０をより正確に位置合わせする必要があり、この位置合わせの作業を容易にすることが要求される。また、メモリカード３４０のＩＣタグからの情報読み取りを実行させる場合には、読み取った情報を液晶モニタ１０３を通じて確認し、その直後にメモリカード３４０を外部記録媒体装着部１１３に装着する作業を行うことが多いため、読み取りのための作業を素早く行えることが望ましい。
【０１０８】
このような観点から、実施の形態４−１（以下の実施の形態４−２，４−３も同様）では、メモリカード３４０のＩＣタグとの通信用のアンテナコイル１３２を、液晶モニタ１０３にできるだけ近接させて配置する。この例では、図１７に示すように、アンテナコイル１３２を、その中心軸が液晶モニタ１０３の表示面と垂直になるように、液晶モニタ１０３の左上に配設している。さらに、このＩＣタグとの通信時には、後述するように、液晶モニタ１０３上にメモリカード３４０を近接させる位置を指示するための表示を行い、ユーザの作業を補助する。
【０１０９】
図１８は、非接触型ＩＣカードから情報を読み取る際の携帯電話機の状態の例を示す図である。
この図１８に示すように、アンテナコイル１３３は、携帯電話機４００ａの筐体の裏面近くに配設されている。また、携帯電話機４００ａの裏面には、アンテナコイル１３３の中心軸に対応する位置にマーカ４２３が配設されている。そして、非接触型ＩＣカード５００を携帯電話機４００ａの裏面に近接させ、非接触型ＩＣカード５００の中心部をマーカ４２３に位置合わせすることで、非接触型ＩＣカード５００内のアンテナコイル５０２と携帯電話機４００ａ側のアンテナコイル１３３との間で通信させることができる。
【０１１０】
図１９は、外部のメモリカードから情報を読み取る際の携帯電話機の状態の例を示す図である。
携帯電話機４００ａでは、例えば入力パネル４２１への操作入力などに応じて、外部のメモリカード３４０内のＩＣタグとの通信を行う動作モードに遷移すると、液晶モニタ１０３に、メモリカード３４０上のＩＣタグを近接させる位置を指示するための表示情報が表示される。図１９（Ａ）の例では、液晶モニタ１０３の左上方向を指し示す矢印状のマーカ４３１が、アンテナコイル１３２の中心軸に合わせて表示されているとともに、ユーザに操作手順を案内するための文字情報も表示されている。
【０１１１】
ユーザは、メモリカード３４０を携帯電話機４００ａの表面に対向させて近接させる。このとき、液晶モニタ１０３に表示されたマーカ４３１が指し示す方向に、メモリカード３４０に配設された、ＩＣタグのアンテナコイルの中心位置を示すマーカ３４６が配置されるように位置合わせする（図１９（Ｂ）参照）。これにより、メモリカード３４０側のアンテナコイルと携帯電話機４００ａ側のアンテナコイル１３２とが容易に電磁結合され、記憶情報の読み取りが実行される。なお、図１９（Ｂ）の例では、読み取られた情報として、画像の撮影日とそのタイトルとが、液晶モニタ１０３上に表示されている。
【０１１２】
このような工程により、ユーザは、一方の手で携帯電話機４００ａを保持し、液晶モニタ１０３を視認したままの状態で、他方の手でメモリカード３４０を保持し、アンテナコイル１３２に対する位置合わせを容易に行うことができるようになる。従って、ＩＣタグ記憶情報を短時間で確実に表示させることが可能となる。また、例えば、液晶モニタ１０３の周囲に、位置合わせのためのマーカをあらかじめ配設しておくスペースが確保できない場合であっても、液晶モニタ１０３の表示情報によりメモリカード３４０を近接させるべき位置をユーザに指示できるので、携帯電話機４００ａの設計の自由度が高まり、これを小型化できる。
【０１１３】
図２０は、実施の形態４−２，４−３に係る携帯電話機の構成を示す図である。
図２０（Ａ）に示す実施の形態４−２に係る携帯電話機４００ｂでは、アンテナコイル１３２を、その中心軸が液晶モニタ１０３の表示面と垂直になるように、液晶モニタ１０３の中央の上側に配設している。この携帯電話機４００ｂにおいて、外部のメモリカード３４０内のＩＣタグとの通信を行う動作モードに遷移すると、液晶モニタ１０３には、メモリカード３４０上のＩＣタグを近接させる位置を指示するための表示情報として、例えば液晶モニタ１０３の中央上方向を指し示す矢印状のマーカ４３２が表示される。
【０１１４】
また、図２０（Ｂ）に示す実施の形態４−３に係る携帯電話機４と垂直になるように、液晶モニタ１０３の中央の下側に配設している。この携帯電話機４００ｃにおいて、外部のメモリカード３４０内のＩＣタグとの通信を行う動作モードに遷移すると、液晶モニタ１０３には、メモリカード３４０上のＩＣタグを近接させる位置を指示するための表示情報として、例えば液晶モニタ１０３の中央下方向を指し示す矢印状のマーカ４３３が表示される。
【０１１５】
これらのいずれの例でも、メモリカード３４０を携帯電話機４００ｂまたは４００ｃの表面に対向させて近接させ、マーカ４３２または４３３が指し示す方向に、メモリカード３４０のアンテナコイルの中心位置を示すマーカを位置合わせすることで、メモリカード３４０側のアンテナコイルと携帯電話機４００ｂ側または４００ｃ側のアンテナコイル１３２とが容易に電磁結合され、記憶情報の読み取りが実行される。
【０１１６】
次に、メモリカード３４０内のＩＣタグおよび非接触型ＩＣカード５００内のＩＣタグのいずれも、携帯電話機の裏面に近接させることで、ＩＣタグの記憶情報を読み取るようにした携帯電話機の構成例を示す。まず、図２１は、実施の形態４−４に係る携帯電話機の構成を示す図である。
【０１１７】
図２１に示す携帯電話機４００ｄでは、非接触型ＩＣカード５００用のアンテナコイル１３３の上側に隣接する位置に、メモリカード３４０用のアンテナコイル１３２を配設している。このような携帯電話機４００ｄでは、外部のメモリカード３４０内のＩＣタグとの通信を行う動作モードに遷移すると、メモリカード３４０上のＩＣタグを近接させる位置を指示するための表示情報として、例えば円形のマーカ４３４が、液晶モニタ１０３の表示面上のアンテナコイル１３２の中心に対応する位置に表示される。
【０１１８】
ユーザはこの表示情報に従って、メモリカード３４０をモニタ部１０２の裏面に対向させて近接させ、メモリカード３４０上のアンテナコイルの中心位置を示すマーカが、液晶モニタ１０３上のマーカ４３４の裏側に配置されるように位置合わせすることで、メモリカード３４０上のＩＣタグとアンテナコイル１３２の中心軸とを容易に正確に位置合わせし、記憶情報の読み取りを短時間で実行させることができる。
【０１１９】
図２２は、実施の形態４−５に係る携帯電話機の構成を示す図である。
図２２に示す携帯電話機４００ｅでは、非接触型ＩＣカード５００用のアンテナコイル１３３の内周側に、さらにメモリカード３４０用のアンテナコイル１３２を配設している。この場合でも、実施の形態４−４と同様に、外部のメモリカード３４０内のＩＣタグとの通信を行う動作モードに遷移すると、メモリカード３４０上のＩＣタグを近接させる位置を指示するための表示情報として、例えば円形のマーカ４３５が、液晶モニタ１０３の表示面上のアンテナコイル１３２の中心に対応する位置に表示される。
【０１２０】
従って、ユーザがこの表示情報に従って、メモリカード３４０をモニタ部１０２の裏面に対向させて近接させ、液晶モニタ１０３上のマーカ４３５の裏面にメモリカード３４０上のマーカが配置されるように位置合わせすることで、メモリカード３４０上のＩＣタグとアンテナコイル１３２の中心軸とを容易に正確に位置合わせし、記憶情報の読み取りを短時間で実行させることができる。
【０１２１】
以上の実施の形態４−４，４−５のように、メモリカード３４０用のアンテナコイル１３２を、その中心部が液晶モニタ１０３の裏面に位置するように配設することで、アンテナコイル１３２を配置するスペースが液晶モニタ１０３の搭載面側にとれなかった場合でも、液晶モニタ１０３上に指示画像を表示することで、ＩＣタグの読み取りのためにメモリカード３４０を近接させる位置を、例えば本体の裏面を視認することなく、容易に正しい位置に誘導することができる。
【０１２２】
また、以上の実施の形態４のように、製品ごとにアンテナコイル１３２の位置が変化した場合でも、液晶モニタ１０３への指示画像を変更することで、メモリカード３４０を近接させる位置をユーザに指示できる。従って、製品の開発・製造コストを増大させることなく、多くの製品に上記効果をもたらすことができる。
【０１２３】
なお、以上の実施の形態４の携帯電話機４００において、メモリカード３４０内のＩＣタグからアンテナコイル１３１または１３２を介して情報を読み出すためには、基本的には、入力部１１６から操作入力に応じて、アンテナコイル１３１または１３２のいずれかを介して情報を読み取る動作モードに遷移される。従って、外部のメモリカード３４０を近接させる位置を指示する指示画像の表示は、アンテナコイル１３２を介して情報を読み取る動作モードに遷移されたときに、自動的に行われればよい。
【０１２４】
一方、メモリカード３４０の主たる記憶領域を用いて、コンテンツの記録や再生を行う動作モードでは、図４で説明したような動作モードの遷移制御が行われてもよい。例えば、画像を撮像し、得られた画像を外部記録媒体３００に記録可能な撮像モードや、外部記録媒体３００内の画像コンテンツを再生表示する再生モードにおいては、例えば、実施の形態１におけるＩＣタグ読み取りスイッチ１０７を、入力部１１６内の所定の操作キーに割り当て、この操作キーを用いて図４と同様な動作モード遷移が行われればよい。
【０１２５】
また、上記の実施の形態４では、携帯電話機を例示して説明したが、これに限らず、モニタ部と装置本体とが一体に構成された電子機器、特に、片手で保持可能な携帯型の電子機器に、同様なリーダ／ライタ機能および指示画像の表示処理機能を適用して、同様な効果を得ることができる。このような電子機器としては、例えば、モニタ一体型のデジタルスチルカメラまたはデジタルビデオカメラ、ＰＤＡ（Personal Digital Assistants）、携帯型オーディオプレーヤ、携帯型ゲーム機などを挙げることができる。
【０１２６】
さらに、以上の実施の形態１〜４では、外部記録媒体３００（上記の例では光ディスクあるいはメモリカード）が外部に存在する場合だけでなく、外部記録媒体装着部１１３に装着された状態でも、この外部記録媒体３００に搭載されたＩＣタグ３０１に対する情報の読み書きを非接触で行うことが可能となっていた。しかし、後者の機能については、必ずしも搭載されている必要はない。
【０１２７】
例えば、外部記録媒体３００の主たる記憶領域に記憶されたコンテンツデータを再生する再生専用の機器では、外部記録媒体３００がこの機器の外部に存在する場合にのみ、ＩＣタグ３０１からの情報読み出しが可能とされても、その情報読み出しにより、外部記録媒体３００を機器に装着することなく、主たる記憶領域に記憶されたコンテンツデータに関連する情報を確認できるようになり、この点はユーザにとってのメリットとなる。そして、このような機器の場合でも、上述したような非接触通信時における指示画像の表示処理機能を適用して、上記と同様な効果を得ることができる。
【０１２８】
また、外部記録媒体３００が外部記録媒体装着部１１３に装着された状態における、外部記録媒体３００上のＩＣタグ３０１に対する情報の読み書きは、端子間の接続による有線インタフェースで行うようにしてもよい。
【０１２９】
［実施の形態５］
図２３は、実施の形態５に係る撮像装置の内部構成を示すブロック図である。なお、この図２３では、図３と同じ機能については同じ符号を付して示し、それらの説明を省略する。
【０１３０】
図２３に示す撮像装置６００は、図３に示した撮像装置１００と比較して、外部記録媒体に搭載されたＩＣタグとの通信機能を持たない代わりに、バッテリパック２００ａに搭載されたＩＣタグとの通信機能を備えている。撮像装置６００は、バッテリパック２００ａが装着されるバッテリ装着部６１１と、電源制御部６１２と、計時部６１３とを備えている。
【０１３１】
バッテリ装着部６１１には、バッテリパック２００ａからの電力供給を受けるための正極・負極端子の他に、バッテリパック２００ａと通信するための通信端子も備えている。電源制御部６１２は、バッテリパック２００ａから印加された電圧を所定の電圧に安定化して、装置内部に供給するための機能の他に、バッテリパック２００ａとの通信制御機能も備えている。計時部６１３は、日付・時間をカウントして、それらの情報を電源制御部６１２に出力する。
【０１３２】
また、この撮像装置６００には、バッテリ装着部６１１に装着されていない外部のバッテリパック２００ａと非接触で通信するためのアンテナコイル１３４が設けられており、非接触通信部１１７ａは、アンテナコイルの切り替え機能を備えず、１つのアンテナコイル１３４のみを通じて非接触の通信を行う。
【０１３３】
一方、バッテリパック２００ａは、２次電池からなるバッテリセル２１１と、バッテリセル２１１の充放電動作を制御する充放電制御部２１２と、内部に記憶領域を持つ非接触型ＩＣ２１３とを備えている。また、非接触型ＩＣ２１３には、非接触通信を行うためのアンテナコイル２１４が接続されている。
【０１３４】
充放電制御部２１２は、バッテリセル２１１の充放電動作が安全に行われるように制御する機能や、その充放電の状態を管理する機能、通信端子を介した非接触型ＩＣ２１３と外部機器（ここでは撮像装置６００）との通信を制御する機能などを備えている。非接触型ＩＣ２１３は、上述したＩＣタグと同様に、内部の不揮発性記憶領域に対するデータの読み書きを、アンテナコイル２１４を介して非接触で行う機能に加えて、この記憶領域に対するデータの読み書きを、充放電制御部２１２および通信端子を介して行うことも可能な、いわゆるデュアルインタフェース仕様のメモリチップとなっている。
【０１３５】
ここで、充放電制御部２１２の機能のうち、充放電の状態を管理する機能としては、バッテリセル２１１の充放電動作や充電状態に関する情報を、非接触型ＩＣ２１３に記憶する機能が挙げられる。例えば、バッテリセル２１１における充電電流や放電電流を一定時間ごとに検出し、それらに基づいて電池残容量を計算して、非接触型ＩＣ２１３に記憶する。そして、バッテリパック２００ａが撮像装置６００に装着されたときには、それらの情報を読み出して撮像装置６００に送信する。撮像装置６００では、バッテリパック２００ａからの情報が電源制御部６１２を介してＣＰＵ１１４に出力され、このＣＰＵ１１４の制御により、バッテリ残容量が液晶モニタ１０３に表示される。
【０１３６】
なお、バッテリ残容量の計算を、バッテリパック２００ａからの情報に基づいて撮像装置６００において行うようにしてもよい。この場合、計算されたバッテリ残容量が、通信端子を介して充放電制御部２１２に送信され、この情報が非接触型ＩＣ２１３に記憶されるようにしてもよい。また、バッテリ残容量の代わりに、あるいはこれに加えて、使用可能な残り時間などを液晶モニタ１０３に表示したり、非接触型ＩＣ２１３に記憶するようにしてもよい。
【０１３７】
また、充放電制御部２１２は、最後に充電を行った日時を非接触型ＩＣ２１３に記憶しておき、装着された撮像装置６００に対してこの情報を送信してもよい。また、撮像装置６００側がバッテリパック２００ａに対する充電機能を備える場合には、計時部６１３からの情報に基づく最後の充電日時や、そのときの充電率などの情報を、バッテリパック２００ａ側に送信して非接触型ＩＣ２１３に記憶させるようにしてもよい。
【０１３８】
そして、この撮像装置６００では、バッテリ装着部６１１から取り外されたバッテリパック２００ａを、アンテナコイル１３４に近接させることで、バッテリパック２００ａの非接触型ＩＣ２１３に記憶された情報を、アンテナコイル１３４を介して非接触で読み出し、その情報あるいはそれに基づく情報を液晶モニタ１０３に表示できるようになっている。例えば、上記のようなバッテリ残容量や最後の充電日時などの情報を非接触型ＩＣ２１３から読み出し、液晶モニタ１０３に表示する。これにより、バッテリパック２００ａを撮像装置６００に装着する前に、このバッテリパック２００ａが所望の時間だけ使用可能であるか否かを、ユーザが即座に認識することができる。
【０１３９】
また、非接触型ＩＣ２１３に、このバッテリパック２００ａを使用可能な製品の識別番号などを、改変不可能な状態であらかじめ記憶しておいてもよい。この場合、撮像装置６００は、記憶された識別番号をアンテナコイル１３４を介して読み込むと、ＣＰＵ１１４の処理により、撮像装置６００自身を識別する識別番号と照合し、このバッテリパック２００ａが自機に適合する製品であるか否かを液晶モニタ１０３に表示するようにしてもよい。
【０１４０】
図２４は、バッテリパックの外観を示す図である。なお、図２４（Ｂ）は、（Ａ）におけるＢ矢視から見た図を示している。
バッテリパック２００ａでは、図２４（Ａ）における矢印Ｂの方向からリーダ／ライタ側のアンテナコイル（ここでは、撮像装置６００のアンテナコイル１３４）を対向させて近接させることで、内部の非接触型ＩＣ２１３とリーダ／ライタとの間で通信できるようにしている。すなわち、バッテリパック２００ａの内部には、図２４（Ａ）の上側端面に近接する位置に、アンテナコイル２１４が配設されている。
【０１４１】
図２４（Ｂ）では、アンテナコイル２１４を透過させて示している。この図に示すように、バッテリパック２００ａの筐体における矢印Ｂ側の端面には、アンテナコイル２１４の中心に対応する位置にマーカ２２１が配設され、これによりアンテナコイル２１４の中心位置をユーザが視覚的に認識できるようにしている。なお、マーカ２２１は、例えば、印刷などによって描画されていてもよいし、あるいは、筐体上に凸状または凹状に一体形成されていてもよい。
【０１４２】
図２５は、実施の形態５に係る撮像装置の構成例を示す図である。なお、この図２５では、図１０と同じ構成要素については同じ符号を付して示し、それらの説明を省略する。
この図２５では、バッテリパック２００ａを使用する撮像装置６００として、図１０の撮像装置１００ａのように、液晶モニタ１０３の裏側にアンテナコイル１３４を配設した場合を例示している。この撮像装置６００では、例えば、ＩＣタグ読み取りスイッチ１０７が押下されたときに、液晶モニタ１０３に、バッテリパック２００ａ内の非接触型ＩＣ２１３を近接させる位置を指示するための表示情報が表示される。この例では、アンテナコイル１３４の中心軸に対応する位置に、点状のマーカ６２１を表示するとともに、ユーザに操作手順を案内するための文字情報を表示している。
【０１４３】
ユーザは、例えば、右手で撮像装置６００の本体部１０１を保持し、液晶モニタ１０３を視認した状態のまま、撮像装置６００の外部に存在するバッテリパック２００ａを左手で保持する。そして、図２５（Ｂ）に示すように、バッテリパック２００ａのマーカ２２１が配設された端面を、液晶モニタ１０３の表示面の裏側から対向させて近接させ、表示されたマーカ６２１の裏側にバッテリパック２００ａのマーカ２２１が配置されるように、位置合わせを行う。これにより、バッテリパック２００ａ内のアンテナコイル２１４と撮像装置６００側のアンテナコイル１３４とが容易に電磁結合され、記憶情報の読み取りが実行される。
【０１４４】
このような作業により、例えば、撮像装置６００に装着されているバッテリパック２００ａの残容量が少なくなってきたときに、別のバッテリパック２００ａの非接触型ＩＣ２１３から、アンテナコイル１３４を介して残容量を読み込ませ、液晶モニタ１０３上で確認することができる。すなわち、別のバッテリパック２００ａを撮像装置６００に装着する前に、そのバッテリパック２００ａの残容量が十分多いか否かを、ユーザが手軽な操作で即座に確認できる。そして、このような作業を、撮像時の基本的な姿勢を変えることなく、確実に実行できるようになる。
【０１４５】
なお、ここでは一例として、アンテナコイル１３４を液晶モニタ１０３の裏側に配設した場合について説明したが、この他に例えば、図１１〜図１３で示したように、アンテナコイル１３４を、モニタ部１０２の側部、上側部、下側部のいずれかの内部に配設してもよい。また、液晶モニタ１０３における表示情報についても、同様に変形させることができる。そして、これらのすべての構成において、ユーザは、バッテリパック２００ａ内のアンテナコイル２１４と撮像装置６００側のアンテナコイル１３４との中心同士を容易に正確に位置合わせし、記憶情報の読み取りを短時間で実行させることができる。
【０１４６】
また、以上の実施の形態５では、撮像装置を例示して説明したが、これに限らず、ＩＣタグを搭載したバッテリパックにより動作し、かつ、表示機能を備えるいかなる電子機器に対しても、表示面の近傍にリーダ／ライタ側のアンテナコイルを配設し、表示面にＩＣタグを近接させる位置を指示する画像を表示することで、ＩＣタグに対する情報の読み書きを簡単な操作で短時間で実行させることができるようになる。
【０１４７】
また、表示面の形成位置が図２５の例のようになっている場合に限らず、上述した実施の形態４のように、装置本体に表示面が一体に形成された場合にも、上記のようなリーダ／ライタ機能および指示画像の表示機能を適用して、同様な効果を得ることができる。例えば、実施の形態４におけるメモリカード上のＩＣタグに対する読み書き用のアンテナコイルの代わりに、バッテリパックのＩＣタグに対する読み書き用のアンテナコイルが配設されることで、このアンテナコイルの配設位置や表示面への指示画像の表示処理として、実施の形態４で示した各態様を適用することができる。
【０１４８】
また、以上の各実施の形態では、主として、１３．５６ＭＨｚに代表される短波帯で通信するＩＣタグを用いた場合を想定したが、他の通信周波数で通信するＩＣタグを用いた場合にも本発明を適用可能である。例えば、２．４５ＧＨｚやＵＨＦ（UltraHigh Frequency）帯の周波数で通信を行うＩＣタグを小型の記録媒体に搭載して、携帯型電子機器に搭載したリーダ／ライタとの間で通信を行う場合でも、アンテナの形状や大きさに対する制約は発生するので、リーダ／ライタ側、ＩＣタグ側ともに必ずしも適切な形状で十分な大きさのアンテナを配設できる訳ではない。このため、リーダ／ライタとＩＣタグとの通信距離を長くすることも困難となり、上述した短波帯での通信の際と同様に、通信の際にはＩＣタグ側のアンテナとリーダ／ライタ側のアンテナとを近接させることが必要となる。従って、このような周波数帯で通信を行うＩＣタグを、上述した各実施の形態に適用した場合であっても、通信のためにアンテナ同士を近接させる際に、相互の位置合わせを容易にできるという効果が得られる。
【図面の簡単な説明】
【０１４９】
【図１】実施の形態１に係る撮像装置の外観を示す図（その１）である。
【図２】実施の形態１に係る撮像装置の外観を示す図（その２）である。
【図３】実施の形態１に係る撮像装置の内部構成を示すブロック図である。
【図４】撮像装置におけるＩＣタグに対する読み書き動作の例を説明するための図である。
【図５】実施の形態１に係る撮像装置において使用される光ディスクの構成例を示す図である。
【図６】撮像装置におけるアンテナコイルの配置例を示す図である。
【図７】光ディスクが収容される光ディスクケースの構成例を示す図である。
【図８】外部の光ディスク上のＩＣタグから情報を読み取る際の撮像装置および光ディスクケースの状態の例を示す図である。
【図９】実施の形態２に係る撮像装置において使用される光ディスクの構成例を示す図である。
【図１０】実施の形態２−１に係る撮像装置の構成を示す図である。
【図１１】実施の形態２−２に係る撮像装置の構成を示す図である。
【図１２】実施の形態２−３に係る撮像装置の構成を示す図である。
【図１３】実施の形態２−４に係る撮像装置の構成を示す図である。
【図１４】実施の形態３で使用されるメモリカードの構成例を示す図である。
【図１５】実施の形態３に係る撮像装置の構成例を示す図である。
【図１６】実施の形態４に係る携帯電話機の内部構成を示すブロック図である。
【図１７】実施の形態４−１に係る携帯電話機の構成を示す図である。
【図１８】非接触型ＩＣカードから情報を読み取る際の携帯電話機の状態の例を示す図である。
【図１９】外部のメモリカードから情報を読み取る際の携帯電話機の状態の例を示す図である。
【図２０】実施の形態４−２，４−３に係る携帯電話機の構成を示す図である。
【図２１】実施の形態４−４に係る携帯電話機の構成を示す図である。
【図２２】実施の形態４−５に係る携帯電話機の構成を示す図である。
【図２３】実施の形態５に係る撮像装置の内部構成を示すブロック図である。
【図２４】バッテリパックの外観を示す図である。
【図２５】実施の形態５に係る撮像装置の構成例を示す図である。
【符号の説明】
【０１５０】
１００……撮像装置、１０１……本体部、１０２……モニタ部、１０３……液晶モニタ、１０４……凹部、１０５……撮像レンズ、１０６……ファインダ、１０７……ＩＣタグ読み取りスイッチ、１１１……カメラブロック、１１２……記録再生処理部、１１３……外部記録媒体装着部、１１４……ＣＰＵ、１１５……メモリ、１１６……入力部、１１７……非接触通信部、１１８……センサ、１１９……表示制御部、１２１……変調回路、１２２……復調回路、１２３……アンテナ切替回路、１３１，１３２……アンテナコイル、１４１ａ〜１４１ｃ……マーカ、２００……バッテリパック、３００……外部記録媒体、３０１……ＩＣタグ、３１０……光ディスク、３１１……中心孔、３１２……信号記録領域、３１３……チャッキング領域、３２１……非接触型ＩＣチップ、３２２……アンテナコイル、３３０ａ……光ディスクケース、３３１ａ，３３１ｂ，３３２ａ〜３３２ｄ……マーカ
【図１】
2009049871.tif 000003
【図２】
2009049871.tif 000004
【図３】
2009049871.tif 000005
【図４】
2009049871.tif 000006
【図５】
2009049871.tif 000007
【図６】
2009049871.tif 000008
【図７】
2009049871.tif 000009
【図８】
2009049871.tif 000010
【図９】
2009049871.tif 000011
【図１０】
2009049871.tif 000012
【図１１】
2009049871.tif 000013
【図１２】
2009049871.tif 000014
【図１３】
2009049871.tif 000015
【図１４】
2009049871.tif 000016
【図１５】
2009049871.tif 000017
【図１６】
2009049871.tif 000018
【図１７】
2009049871.tif 000019
【図１８】
2009049871.tif 000020
【図１９】
2009049871.tif 000021
【図２０】
2009049871.tif 000022
【図２１】
2009049871.tif 000023
【図２２】
2009049871.tif 000024
【図２３】
2009049871.tif 000025
【図２４】
2009049871.tif 000026
【図２５】
2009049871.tif 000027